(57)【要約】【課題】樹脂性軽量造形材製テーブルに同材質の半円筒形支柱脚を一体化させ、従来既製品カップホルダー部へネジ類や工具材の使用無しに脱着可能な簡易・便利性機能を持たせた簡易テーブルを提供する。【解決手段】テーブルの天板１両端の２を既設椅子肘掛部へ既設付属されたカップホルダースペースを半分ずつ使用、従来品カップホルダーへ装着可能なサイズの半円筒形支柱脚２を設けるとともに、奥行及びワイド巾サイズを必要随時伸縮させるための蝶番等または伸縮棒等３を設けた簡易テーブルを特徴とする。【選択図】図１
2015058336.tif 000002
【特許請求の範囲】
【請求項１】
両肘部等にカップホルダーが付属している椅子における飲食時等の容器類を置く事の出来る機能を有している樹脂性軽量造形材製による簡易テーブルであって、従来既製品であるカップホルダーまたはカップホルダーが付属した肘付等の椅子へカップを保持する要領と同様の動作で脱着の出来る、カップと同等径半の半筒状の脚をテーブル天板両端へ有するテーブルを特徴とする簡易テーブル
【発明の詳細な説明】
【技術分野】
【０００１】本発明は、椅子両肘等にカップホルダーが付属した椅子での飲食等を補助する為の、従来既製品カップホルダーまたはカップホルダー付き椅子へ脱着することが可能で、左右隣にも同じ両肘等にカップホルダーが付属した椅子が連続していても、左右隣でも同じ所作・動作により使用可能なテーブルに関する。
【背景技術】
【先行技術文献】
【０００２】従来品の簡易なテーブルは天井や壁を利用したものがある（例えば特許文献１や３  ４や参照）。また人間の脚へ直接固定するものがある（例えば特許文献２参照）。また１点における支持によることで安定を保つのに不利なものがある（例えば特許文献５）
【特許文献１】特許公開２００７−１７６１９７
【特許文献２】特許公開２００４−０００６７６
【特許文献３】特許公開２０００−３１３２６８
【特許文献４】平８−３３２８８１
【特許文献５】特許出願２００７−２８２４０４
【発明の概要】
【発明が解決しようとする課題】
【０００３】しかしながら従来品簡易テーブルはテーブル自体を固定するために既存物へ取付け穴の開口または改造に近い処理を施さなければならないなど、設置及び取扱が複雑になる欠点があり、簡易という便利性や携帯性（他場所への載せ替え）などの点で不利がある。
【課題を解決するための手段】
【０００４】本発明は、両肘等にカップホルダーが付属した椅子における飲食時等の容器類を置く事の出来る機能を有している樹脂性軽量造形材製による簡易テーブルであって、従来既製品である既存・既設カップホルダーまたはカップホルダー付き椅子へカップを保持する要領と同様の動作で手軽に脱着の出来る、カップと同径半の半筒状の脚をテーブル天板下端へ有するテーブルを特徴とする簡易テーブルを提供することで上記課題を解決する。
【発明の効果】
【０００５】本発明は、テーブルが必要であるときには従来既製品両肘等にカップホルダーまたはカップホルダーが付属した椅子のカップホルダー筒内へ装着し、テーブルが必要でないときには従来既製品カップホルダーまたは両肘等にカップホルダーが付属した椅子から取り出すまたは取り外すだけで、従来既成の飲料水カップの「保持」・「取り除き」と同様の動作で使用出来きる脱着便利性と携帯性に優れた快適さを確保するのに極めて有効である。
【発明を実施するための形態】
【０００６】本発明のテーブルは、図１、図２、図３に示すように、５００ｍｍ×２００ｍｍ＋２００ｍｍサイズ程度の樹脂性造形軽量材製テーブル本体１の両端側へ５００ｍｌ．ペットボトルや缶ジュースサイズと同等直径サイズ約７ｃｍ．とし、高さは７ｃｍ．前後の、樹脂性造形軽量材製半円筒２を、１と同時成形製作または天板両端１と溶接等で取り付け一体化させる。
また図４、図９に示すように、奥行サイズをほぼ倍程度まで使いたい場合には、折り畳むことが可能な蝶番等を付属させた補助天板４を開放する。支柱脚２に、両肘等にカップホルダーが付属した椅子のカップホルダーの半分サイズになることにより、隣に連続して両肘にカップホルダーが付属した椅子が接続されていても、同じ要領で連続して使用する事が可能である。
本発明は以上のような構造である
【実施例】
【０００７】図１、図２、図３、図４、図５、図６、図７、図８、図９に示す樹脂性軽量造形材製である、テーブル１は例えば、Ｗ５５０ｍｍ．Ｄ２００ｍｍ＋２００ｍｍ．Ｈ１５ｍｍ．〜２５ｍｍ．の寸法を有する直方体形状と、支柱脚２は例えば、直径７０ｍｍ．Ｈ７０ｍｍ．の寸法を有する円筒形とを一体化し、両肘等にカップホルダーを付属する椅子での簡易テーブルを使用する際に好適なサイズとして標準化する。
このことにより設計、施工が容易になる。また３には従来既製品である蝶番や伸縮棒材等を用いるのが最適である。耐蝕性のある弾性部材は安価製作が難しいと思われるためである。【０００８】以上、本発明の実施の形態及び実施例を説明したが、本発明の範囲はこれに限定されるものではない。例えば、テーブル天板と支柱脚との設置位置、サイズ、任意な弾性部材等取り付け位置関係、あるいは簡易テーブルを両面テープや車載エアコン吹き出し口の羽等直付けすることは、状況に応じて適宜選択されるものである。【０００９】また、簡易テーブルは飲食時の容器保持仕様という一面に限らず、重量でない物品保持に利用しても良い。例えば携帯電話やＩＴ関連の重量でない物品を置く事も可能である。【００１０】さらに、発明を実施するための最良の形態と実施例では、樹脂製軽量造形材製簡易テーブルについて説明しているが、成形簡易テーブルの材質は樹脂性軽量造形材に限られたものではなく、その他例えば、金属材、合成樹脂材、木材、弾性部材等、構造体として適当な任意の材料のものが利用でき、形状、大きさも任意に選定する事が出来る、主として簡易で便利性のあるテーブル材として広く用いる事が可能である。
【産業上の利用可能性】
【００１１】本発明は、従来既製品カップホルダーへ脱着可能な簡易テーブルを製造する産業で利用される。
【図面の簡単な説明】
【００１２】
【図１】本発明を実施するための最良の第一の形態の外観斜視図である。
【図２】本発明を実施するための最良の第一の形態の平面図である。
【図３】本発明を実施するための最良の第一の形態のＡ部断面図である。
【図４】本発明を実施するための最良の第一の形態のＢ部断面図である。
【図５】本発明を実施するための最良の第一の形態のＣ部断面図である。
【図６】本発明を実施するための最良の第一の形態の立面図である。
【図７】本発明を実施するための最良の第一の形態のＤ断面図である。
【図８】本発明を実施するための最良の第一の形態のＥ断面図である。
【図９】本発明を実施するための最良の第一の形態の折り畳んだ状態の断面図である
【符号の説明】［受託番号］
（１）テーブル天板
（２）テーブル天板保持用支柱半円筒脚
（３）奥行サイズ伸縮用折れ曲がり及び巾サイズ伸縮棒等材格納部
（４）補助用折り畳み・伸縮等天板
【図１】
2015058336.tif 000003
【図２】
2015058336.tif 000004
【図３】
2015058336.tif 000005
【図４】
2015058336.tif 000006
【図５】
2015058336.tif 000007
【図６】
2015058336.tif 000008
【図７】
2015058336.tif 000009
【図８】
2015058336.tif 000010
【図９】
2015058336.tif 000011